(57)【要約】【課題】本発明は、単一アンテナで移動放送の受信とブルートゥース送受信とが可能であり、周波数帯域の差を利用して、二つの信号を分離して受信する無線通信装置に関する。【解決手段】本発明の装置は、アンテナと連結されたダイプレクサーで互いに異なる帯域通過フィルターを利用して、移動放送信号とブルートゥース信号とを分離する。分離された信号は、各々移動放送モジュールとブルートゥースモジュールに入力される。移動放送信号は、例えば、地上波ＤＭＢ信号であり、バンド−３信号とＬ−バンド信号のように互いに異なる周波数帯域を有することができる。このようなＤＭＢ信号は、また周波数帯域によって分離される。本発明の無線通信装置は、単一アンテナを介して、周波数の異なる二つの信号の受信が可能であり、アンテナの実装空間を減らして、無線通信装置の大きさを小さく且つ、薄く具現することができる。【選択図】図２
2008035477.tif 000002
【特許請求の範囲】
【請求項１】
移動放送信号を受信し、ブルートゥース信号を送受信する単一アンテナと、
上記アンテナと連結され、且つ上記移動放送信号を分離する第１帯域通過フィルターと、
上記ブルートゥース信号を分離する第２帯域通過フィルターを具備するダイプレクサー
と、
上記第１帯域通過フィルターと連結され、且つ上記移動放送信号をデコーディングする移動放送モジュールと、
上記第２帯域通過フィルターと連結され、且つ上記ブルートゥース信号をデータに変換するブルートゥースモジュールと、を含むことを特徴とする無線通信装置。
【請求項２】
上記移動放送信号は地上波ＤＭＢ信号であり、上記移動放送モジュールは地上波ＤＭＢモジュールであることを特徴とする請求項１に記載の無線通信装置。
【請求項３】
上記第１帯域通過フィルターは低域通過フィルターであり、上記第２帯域通過フィルターは高域通過フィルターであることを特徴とする請求項２に記載の無線通信装置。
【請求項４】
上記地上波ＤＭＢ信号は互いに異なる第１周波数帯域と第２周波数帯域とを有することを特徴とする請求項３に記載の無線通信装置。
【請求項５】
上記低域通過フィルターと上記地上波ＤＭＢモジュールの間に連結され、且つ上記地上波ＤＭＢ信号の上記第１周波数帯域を通過させる第３帯域通過フィルターと、
上記低域通過フィルターと上記地上波ＤＭＢモジュールとの間に連結され、且つ上記地上波ＤＭＢ信号の上記第２周波数帯域を通過させる第４帯域通過フィルターとをさらに含むことを特徴とする請求項４に記載の無線通信装置。
【請求項６】
上記地上波ＤＭＢ信号はバンド−３信号とＬ−バンド信号とを有することを特徴とする請求項３に記載の無線通信装置。
【請求項７】
上記低域通過フィルターと上記地上波ＤＭＢモジュールとの間に連結され、且つ上記地上波ＤＭＢ信号の上記バンド−３信号を通過させるバンド−３フィルターと、
上記低域通過フィルターと上記地上波ＤＭＢモジュールとの間に連結され、且つ上記地上波ＤＭＢ信号の上記Ｌ−バンド信号を通過させるＬ−バンドフィルターと、をさらに含むことを特徴とする請求項６に記載の無線通信装置。
【請求項８】
上記移動放送信号は衛星ＤＭＢ信号であり、上記移動放送モジュールは衛星ＤＭＢモジュールであることを特徴とする請求項１に記載の無線通信装置。
【請求項９】
上記第１帯域通過フィルターは高域通過フィルターであり、上記第２帯域通過フィルターは低域通過フィルターであることを特徴とする請求項８に記載の無線通信装置。
【請求項１０】
上記アンテナを介して、上記ブルートゥース信号を受信するヘッドセットをさらに含むことを特徴とする請求項１乃至９項のいずれかの一つに記載の無線通信装置。
【発明の詳細な説明】
【技術分野】
【０００１】
本発明は、移動放送技術に関し、さらに具体的には単一アンテナで移動放送受信とブルートゥース送受信とが可能な無線通信装置に関する。
【背景技術】
【０００２】
近年、ヨーロッパと米国などにおいて移動マルチメディア放送サービスのための技術開発競争が深刻化しつつある。移動マルチメディア放送は、既存のアナログ放送と差別化される新しい形態の放送サービスであり、移動通信技術と融合して、放送と通信の長所を合わせた新しい領域の技術である。ＤＶＢ−Ｈと命名されたヨーロッパの移動放送技術とＭｅｄｉａＦＬＯと呼ばれる米国の移動放送技術は、それぞれ２００６年に商用化を目標にしていた。
【０００３】
しかし、韓国においては、既に２００５年５月に衛星ＤＭＢサービスが本格的に始まり、２００５年１２月にはＥｕｒｅｋａ−１４７に基づいた地上波ＤＭＢ本放送も世界最初に始まったことから、ＤＭＢがマルチメディア技術の中、先頭を走っている。
【０００４】
ＤＭＢとは、音声、映像などのマルチメディア信号をデジタル方式に変調して提供する放送サービスであり、無指向性受信アンテナを装着した受信装置を介して、使用者が移動中においても多様なマルチメディア放送を受信できる放送サービスを称する。
【０００５】
ＤＭＢサービスを常用化しようとするならば、ＤＭＢの受信できる受信装置の開発が必須であるが、現在、韓国においては多様な形態のＤＭＢ受信機と端末機が発売されてＤＭＢサービスの商用化に寄与している。
【０００６】
ＤＭＢ受信は、ＤＭＢ専用受信機のみならず、ＤＭＢ受信機能を備えた各種の携帯用、車両用端末機によって可能である。現在、携帯電話、ノートブック、ＰＤＡ、ＰＭＰ、ＰＮＳ、ＣＮＳなどの非常に多様な類型の端末機にＤＭＢ受信機能が搭載されている。
【０００７】
一方、ＤＭＢ受信装置の附属機器として無線ヘッドセットの使用が増加している。無線ヘッドセットは、近距離無線通信技術者ブルートゥースを利用してＤＭＢ受信装置の音声データを気楽に聴取することができるようにする。ブルートゥースは、１０ｍ内外の近距離に位置した通信機器を無線に連結し、両方向通信を可能にする無線通信規格である。
【０００８】
ところで、ブルートゥースの周波数帯域が２.４ＧＨｚである一方、ＤＭＢはそれと異なる周波数帯域を使う。例えば、衛星ＤＭＢは、周波数帯域が２.６３〜２.６５５ＧＨｚであって、地上波ＤＭＢは、周波数帯域が１７４〜２４０ＭＨｚと１.４５２〜１.４９２ＧＨｚである。このように、周波数帯域が互いに異なるＤＭＢ信号とブルートゥース信号とが同時に使われるため、従来のＤＭＢ受信装置は、それぞれのアンテナを区分して使っている。
【０００９】
しかし、これは装置内の実装空間を大きく占めるので、端末機の大きさが小さくて薄い場合に適用することが困難な問題がある。ますます端末機の大きさが小さく且つ薄くなるにつれて、それぞれのアンテナを別個に使うことによって実装空間が増加する問題は、至急に解決しなければならない。
【発明の開示】
【発明が解決しようとする課題】
【００１０】
したがって、本発明の目的は、移動放送受信とブルートゥース送受信とが可能な無線通信装置のアンテナ実装空間を減らことである。
【００１１】
本発明の他の目的は、移動放送受信とブルートゥース送受信とが可能な無線通信装置の大きさを小さく且つ薄く具現することである。
【課題を解決するための手段】
【００１２】
このような目的を達成するために、本発明は、単一アンテナで移動放送受信とブルートゥース送受信とが可能であり、周波数帯域の差を利用して、二つの信号を分離して受信する無線通信装置を提供する。
【００１３】
本発明に係る無線通信装置は、単一アンテナとダイプレクサーと移動放送モジュールとブルートゥースモジュールとを含む。単一アンテナは、移動放送信号を受信してブルートゥース信号を送受信する。アンテナと連結するダイプレクサーは、移動放送信号を分離する第１帯域通過フィルターとブルートゥース信号を分離する第２帯域通過フィルターとを備える。移動放送モジュールは、第１帯域通過フィルターと連結され且つ、移動放送信号をデコーディングする。ブルートゥースモジュールは、第２帯域通過フィルターと連結され且つ、ブルートゥース信号をデータに変換する。
【００１４】
本発明の無線通信装置における移動放送信号は、地上波ＤＭＢ信号であり、移動放送モジュールは、地上波ＤＭＢモジュールである。ここで、第１帯域通過フィルターは低域通過フィルターであり、第２帯域通過フィルターは高域通過フィルターである。地上波ＤＭＢ信号は、互いに異なる第１周波数帯域と第２周波数帯域とを有する。この時無線通信装置は、低域通過フィルターと地上波ＤＭＢモジュールとの間に連結する第３帯域通過フィルターと第４帯域通過フィルターをさらに含む。第３帯域通過フィルターと第４帯域通過フィルターとはそれぞれ地上波ＤＭＢ信号の第１周波数帯域と第２周波数帯域とを通過させる。
【００１５】
また、地上波ＤＭＢ信号は、バンド−３信号とＬ−バンド信号とを有する。この際、無線通信装置は、低域通過フィルターと地上波ＤＭＢモジュールとの間に連結されるバンド−３フィルターとＬ−バンドフィルターをさらに含むことができる。バンド−３フィルターとＬ−バンドフィルターとはそれぞれ地上波ＤＭＢ信号のバンド−３信号とＬ−バンド信号を通過させる。
【００１６】
本発明の無線通信装置において、移動放送信号は、衛星ＤＭＢ信号であり、移動放送モジュールは衛星ＤＭＢモジュールである。ここで第１帯域通過フィルターは高域通過フィルターで、第２帯域通過フィルターは低域通過フィルターである。一方、本発明の無線通信装置は、アンテナを介してブルートゥース信号を受信するヘッドセットをさらに含む。
【発明の効果】
【００１７】
本発明は、地上波ＤＭＢのような移動放送の受信と近距離無線通信のブルートゥースの送受信とが可能な無線通信装置でダイプレクサーを介して、移動放送信号とブルートゥース信号を分離することができる。
【００１８】
したがって、単一アンテナを介して、周波数の異なる二つの信号の受信が可能になり、且つアンテナの実装空間を減らして、無線通信装置の大きさを小さく且つ薄く具現することができる。
【発明を実施するための最良の形態】
【００１９】
以下、実施例を添付図面を参照し、より詳細に説明する。実施例を説明することにおいて本発明の属する技術分野に十分知られており、または本発明と直接に関連のない技術内容に対しては説明を省略する。
【００２０】
図１は、本発明が適用される移動放送システムの例示図である。
【００２１】
図１を参照すれば、送出センター３００は、放送局（未図示）から受けたＤＭＢ信号を送出する。無線通信装置１００、例えば、ＤＭＢ受信機は送出センター３００からＤＭＢ信号を受信し、所定の信号処理過程を経て、映像データおよび音声データを出力する。無線通信装置１００は、ＤＭＢ専用受信機の他にＤＭＢ受信機能を有する携帯用または車両用端末機になり得る。ヘッドセット２００は、ブルートゥースを利用して、無線通信装置１００と通信し且つ、これを通じて、無線通信装置１００のＤＭＢデータ中の音声データを受信する。
【００２２】
図１においてヘッドセット２００を無線通信装置１００と別個の要素で図示したが、ヘッドセット２００も無線通信装置１００の構成要素中の一つとして見ることができる。一方、図１に例示されたシステムは地上波ＤＭＢの場合である。もし衛星ＤＭＢシステムならば、送出センター３００からＤＭＢ信号を受信して、地上へ送出する放送衛星と、陰領地域中継機（ｇａｐｆｉｌｌｅｒ）等がさらに必要である。
【００２３】
以上から説明した構成のシステムにおける従来の無線通信装置は、ＤＭＢ信号を受信するアンテナとブルートゥース信号を送受信するためのアンテナが別個に必要であるが、本発明の無線通信装置１００は、一つのアンテナを介してＤＭＢ信号を受信し、ブルートゥース信号を送受信する。これを可能にする理由は、無線通信装置１００のフロントエンド（ｆｒｏｎｔｅｎｄ）構成が変わってくるからである。
【００２４】
以下、実施例に係る本発明の無線通信装置１００を説明する。
【００２５】
図２は、本発明の実施例に係る無線通信装置の構成を示すブロック図である。
【００２６】
図２を参照すれば、無線通信装置１００は、単一アンテナ（Ａｎｔ）を介して、移動放送信号を受信する受信装置である。本実施例における無線通信装置１００は、地上波ＤＭＢ信号を受信するＤＭＢ専用受信機または携帯用、車両用端末機である。しかし、他の実施例における無線通信装置は、衛星ＤＭＢ信号を受信する受信機または端末機であり、またはＤＭＢでない他の種類の移動放送信号を受信する受信機や端末機であることもできる。
【００２７】
単一アンテナは、移動放送信号以下、地上波ＤＭＢ信号を受信するようにブルートゥース信号を送受信する。地上波ＤＭＢ信号とブルートゥース信号とは、周波数帯域が互いに異なるが、二つの信号に共に利用することができるように単一アンテナを製作することができる。これに対しては、本出願人が別個に出願した韓国特許出願第２００６−ｘｘｘｘｘｘｘ号に開始されている。（今後記載予定）。アンテナには、ダイプレクサー１１０、ダイプレクサーが連結する。ダイプレクサー１１０は、周波数帯域の差を利用して、地上波ＤＭＢ信号とブルートゥース信号を分離する。これのためにダイプレクサー１１０は、移動放送信号を分離する第１帯域通過フィルターと、ブルートゥース信号を分離する第２帯域通過フィルターを具備する。
【００２８】
図３と図４は、ダイプレクサーの細部構成を示す２種類例示図である。
【００２９】
図３に例示されたダイプレクサー１１０は、低域通過フィルター１１２、ＬＰＦ（ｌｏｗｐａｓｓｆｉｌｔｅｒ）と高域通過フィルター１１４、ＨＰＦ（ｈｉｇｈｐａｓｓｆｉｌｔｅｒ）で成り立つ。地上波ＤＭＢ信号とブルートゥース信号が同時に受信される時、低域通過フィルター１１２は、相対的に周波数帯域が低い地上波ＤＭＢ信号を分離し、高域通過フィルター１１４は、相対的に周波数帯域が高いブルートゥース信号を分離する。一方、衛星ＤＭＢ信号の場合には、ブルートゥース信号に比べて、周波数帯域が高い。従って、この場合には、図４に例示された通り、ダイプレクサー４１０の高域通過フィルター４１２が衛星ＤＭＢ信号を分離し、低域通過フィルター４１４がブルートゥース信号を分離する。
【００３０】
このように、本発明の無線通信装置１００は、ダイプレクサー１１０、４１０で周波数帯域の差を利用してＤＭＢ信号とブルートゥース信号を分離することができる。したがって、単一アンテナを通じて、二つの信号を受信することが可能になり、アンテナの実装空間を減らして、無線通信装置の大きさを小さく且つ薄く具現する。
【００３１】
また、図２を参照すれば、ダイプレクサー１１０を通じて分離した地上波ＤＭＢ信号は、移動放送モジュールのＤＭＢモジュール１４０で入力される。ところで、地上波ＤＭＢ信号は、場合により互いに異なる第１周波数帯域と第２周波数帯域を有することができる。
【００３２】
この際、無線通信装置１００は、ダイプレクサー１１０の低逆通過フィルターとＤＭＢモジュール１４０の間に連結される第３帯域通過フィルターと第４帯域通過フィルターをさらに含むことができる。第３帯域通過フィルターは、地上波ＤＭＢ信号の第１周波数帯域のみを通過させ、第４帯域通過フィルターは、地上波ＤＭＢ信号の第２周波数帯域のみを通過させる。例えば、第１周波数帯域が１７４〜２４０ＭＨｚのバンド−３信号であり、第２周波数帯域が１.４５２〜１.４９２ＧＨｚのＬ−バンド信号である。この際、第３帯域通過フィルターは、バンド−３信号を通過させるバンド−３フィルター１２０であり、第４帯域通過フィルターは、Ｌ−バンド信号を通過させるＬ−バンドフィルター１３０である。
【００３３】
それぞれのフィルター１２０、１３０を通過した地上波ＤＭＢ信号は、ＤＭＢモジュール１４０でデコーディングされる。ＤＭＢモジュール１４０は、ＲＦチューナーとベースバンドチップ（）からなり、地上波ＤＭＢ信号をデコーディングして制御部１６０へ送る。一方、ダイプレクサー１１０を通じて分離したブルートゥース信号はブルートゥースモジュール１５０で入力される。ブルートゥースモジュール１５０は、制御部１６０の制御下にブルートゥース信号をデータに変換するベースバンドチップである。
【００３４】
制御部１６０は、無線通信装置１００の全般的な動作を制御する。例えば、制御部１６０は、入力部１７０を通じて入力された使用者の命令語または予め保存された制御アルゴリズムによってＤＭＢモジュール１４０とブルートゥースモジュール１５０とをそれぞれ制御する。
【００３５】
入力部１７０は、無線通信装置１００を制御するための使用者の操作信号を入力受け、制御部１６０へ伝達する。入力部１７０は、例えば、キーボード、入力ボタン、タッチパッド、タッチスクリーン、マイクなどである。
【００３６】
出力部１８０は、受信されたＤＭＢ音声データおよび映像データを出力しかつ、無線通信装置１００の動作と関連した各種情報を出力する。出力部１８０は、例えば、ＬＣＤなどの映像表示部およびスピーカーなどの音声表示部である。
【００３７】
保存部１９０は、無線通信装置１００の動作と関連したプログラムおよびデータを保存しかつ、受信されたＤＭＢデータを保存する。
【００３８】
以上、本明細書と図面において本発明の望ましい実施例について開示し、例え、特定用語が使われたものの、これは、単に本発明の技術内容を簡単に説明して発明の理解を助けるための一般的な意味で使われたものであり、本発明の範囲を限定しようとするものではない。
【図面の簡単な説明】
【００３９】
【図１】本発明が適用される移動放送システムの例示図である。
【図２】本発明の実施例に係る無線通信装置の構成を示すブロック図である。
【図３】図２に示されたダイプレクサーの細部構成を示す例示図である。
【図４】図２に示されたダイプレクサーの細部構成を示す他の例示図である。
【符号の説明】
【００４０】
１００：無線通信装置
１１０，４１０：ダイプレクサー
１１２，４１４：低域通過フィルター
１１４，４１２：高域通過フィルター
１２０：バンド−３フィルター
１３０：Ｌ−バンドフィルター
１４０：ＤＭＢモジュール
１５０：ブルートゥースモジュール
１６０：制御部
１７０：入力部
１８０：出力部
１９０：保存部
２００：ヘッドセット
３００：送出センター
【図１】
2008035477.tif 000003
【図２】
2008035477.tif 000004
【図３】
2008035477.tif 000005
【図４】
2008035477.tif 000006